(57)【特許請求の範囲】
【請求項１】
コピープロテクトされたビデオ信号を見ることを可能にする一方でビデオ信号の許容できるコピーの記録を防止するため、ビデオ信号のうちの選択されたビデオラインの帰線消去期間に付加されるコピープロテクション信号の作用を無線周波（ＲＦ）領域で除く方法であって、
見ることのできるビデオ信号から、該選択されたビデオラインに埋め込まれた該コピープロテクション信号を含むＲＦ搬送波信号のみを供給するステップと、
該ＲＦ搬送波信号から、該コピープロテクション信号の位置を示すタイミング制御信号を生成するステップと、
前もってのみ見ることのできるビデオ信号の許容できるコピーの記録が可能であるために該コピープロテクション信号が後に復調されたときに十分に無効となるように、該タイミング制御信号に応答して、該ＲＦ搬送波信号に該コピープロテクション信号が出現する間に該見ることのできるビデオ信号における該コピープロテクション信号をＲＦ領域で変更するステップとを備え、
前記変更するステップは、前記コピープロテクション信号を振幅及び／又は周波数変調するステップを含む、
ことを特徴とする方法。
【請求項２】
該生成するステップは、
該ＲＦ搬送波から、該選択されたビデオラインのタイミング位置と関連するコピープロテクション信号とを識別する水平同期信号及び垂直同期信号を供給するステップと、
該水平同期信号及び該垂直同期信号に応答して、該タイミング制御信号を生成するステップとを含む、
請求項１記載の方法。
【請求項３】
ビデオ信号の許容できるコピーの記録を防止するため、ビデオ信号のうちの選択されたビデオラインの帰線消去期間に付加されるコピープロテクション信号の作用を無線周波（ＲＦ）領域で除く方法であって、
該ビデオ信号から、該選択されたビデオラインに埋め込まれた該コピープロテクション信号を含むＲＦ搬送波信号を供給するステップと、該コピープロテクション信号は、擬似同期パルス、及び／又は自動利得制御（ＡＧＣ）パルスを含み、該ＲＦ搬送波信号は、該コピープロテクション信号を供給するため、該選択されたビデオラインにおける該擬似同期パルス及び／又は該ＡＧＣパルスにより変調されており、
該ＲＦ搬送波信号から、該コピープロテクション信号の存在を示すタイミング制御信号を生成するステップと、
該ＲＦ搬送波信号で該コピープロテクション信号が出現する間に、該コピープロテクション信号をＲＦ領域で変更するステップとを備え、
該変更するステップは、該ビデオ信号の許容できるコピーの記録が可能であるために該コピープロテクション信号が後に復調されたときに十分に無効となるように、該タイミング制御信号に応答して、該コピープロテクション信号が出現する間に該ＲＦ搬送波信号を選択的に振幅及び／又は周波数変調するステップを含む、
ことを特徴とする方法。
【請求項４】
該変更するステップは、
該タイミング制御信号に応答して、該擬似同期パルス及び該ＡＧＣパルスが同時に起こる時間間隔で、該変調されたＲＦ搬送波信号のピーク包絡線をレベルシフト又は減衰するステップを含む、
請求項３記載の方法。
【請求項５】
該変更するステップは、
該変調されたＲＦ搬送波信号の周波数と実質的に同じ周波数からなる第二のＲＦ搬送波信号を発生するステップと、
該タイミング制御信号に応答して、該擬似同期パルス及び／又は該ＡＧＣパルスの出現と同時に該第二のＲＦ搬送波信号を該変調されたＲＦ搬送波信号に加算するか、又は該第二のＲＦ搬送波信号を該変調されたＲＦ搬送波信号から減算するステップとを含む、
請求項３記載の方法。
【請求項６】
該変更するステップは、
該タイミング制御信号に応答して、該擬似同期パルス及び／又は該ＡＧＣパルスの出現と同時に該変調されたＲＦ搬送波信号の振幅レベルを変えるステップを含む、
請求項３記載の方法。
【請求項７】
該変更するステップは、
該許容できるコピーの記録の間に、該擬似同期パルス及び／又は該ＡＧＣパルスを後に復調するときに該パルスの影響をなくすため、該タイミング制御信号に応答して、該擬似同期パルス及び／又は該ＡＧＣパルスの幅を狭くするステップを含む、
請求項３記載の方法。
【請求項８】
該変更するステップは、
選択された特性を有し、該変調されたＲＦ搬送波信号の周波数と実質的に同じ周波数からなる第二の信号を発生するステップと、
該タイミング制御信号に応答して、該擬似同期パルス及び／又は該ＡＧＣパルスの出現の間に該変調されたＲＦ搬送波信号を該第二の信号で置き換えるステップとを含む、
請求項３記載の方法。
【請求項９】
該第二の信号は、ノイズを含むカラー信号により変調されるＲＦ搬送波信号、カラーバー信号又は不十分なコピープロテクション信号を含む信号、変調されていないＲＦ搬送波信号、若しくは後に復調されるときに無効となるように十分に低い値からなる信号を含む、
請求項８記載の方法。
【請求項１０】
ビデオ信号の許容できるコピーの記録を防止するため、該ビデオ信号のうちの選択されたビデオラインの帰線消去期間に付加されるコピープロテクション信号の作用を無線周波（ＲＦ）領域で除く方法であって、
該ビデオ信号から、該選択されたビデオラインに埋め込まれた該コピープロテクション信号を含むＲＦ搬送波信号を供給するステップと、該コピープロテクション信号は、カラーバースト位相誤差を有するカラーストライプバースト信号を含み、該ＲＦ搬送波信号は、許容できるコピーの記録を防止するため、該選択されたビデオラインにおける該カラーストライプバースト信号により変調されており、
該ＲＦ搬送波信号から、該コピープロテクション信号の存在を示すタイミング制御信号を生成するステップと、
該ＲＦ搬送波信号において該コピープロテクション信号が出現している間に、該コピープロテクション信号をＲＦ領域で変更するステップとを備え、
該変更するステップは、該ビデオ信号の許容できるコピーの記録が可能であるために該コピープロテクション信号が後に復調されたときに十分に無効となるように、該タイミング制御信号に応答して、該コピープロテクション信号が出現している間に該ＲＦ搬送波信号を選択的に振幅及び／又は周波数変調するステップを含む、
ことを特徴とする方法。
【請求項１１】
該変更するステップは、
該タイミング制御信号に応答して、後に復調されたときに正しいカラーバースト位相を与えるため、該変調の深さ又は変調用のカラーストライプバースト信号の位相シフトを十分に変更するステップを含む、
請求項１０記載の方法。
【請求項１２】
該変更するステップは、
該変調されたＲＦ搬送波信号から、正しいＲＦ搬送波変調用カラー副搬送波信号を発生するステップと、
該タイミング制御信号に応答して、該カラーストライプバースト信号の期間の間に該変調されたＲＦ搬送波信号を該カラー副搬送波信号で変調された正しいＲＦ搬送波で置き換えるステップとを含む、
請求項１０記載の方法。
【請求項１３】
該発生するステップは、
該変調されたＲＦ搬送波信号のＲＦ搬送波を再生するステップと、
該ＲＦ搬送波の周波数と該カラーバースト信号の周波数との和から形成される側波帯周波数信号を再生するステップと、
該正しいＲＦ搬送波変調用カラー副搬送波信号を発生するため、該再生されたＲＦ搬送波と該側波帯周波数信号とを該ＲＦ領域で加算するステップとを含む、
請求項１２記載の方法。
【請求項１４】
該変更するステップは、
該変調されたＲＦ搬送波信号のＲＦ搬送波を再生するステップと、
該ＲＦ搬送波の周波数と該カラーバースト信号の周波数との和から形成される側波帯周波数信号を再生するステップと、
位相変調されたカラーストライプバースト信号を該側波帯周波数信号の位相シフトされた高調波とを混合するステップと、
該カラーストライプバースト信号により提供されるコピープロテクションを除くため、該混合された信号をローパスフィルタリングするステップとを含む、
請求項１０記載の方法。
【請求項１５】
関連するビデオ信号の許容できる記録を行うことを禁止するため、変調された無線周波（ＲＦ）搬送波信号のうちの選択されたビデオラインの帰線消去期間に付加される、擬似同期パルス及び／又はバックポーチ自動利得制御（ＡＧＣ）又はＡＧＣパルス、若しくはカラーストライプ信号を含むコピープロテクション信号をＲＦ領域で無効にする方法であって、
該選択されたラインにおけるＲＦ搬送波信号を該擬似同期パルス、及び／又はバックポーチＡＧＣ又はＡＧＣパルス、若しくはカラーストライプ信号で変調するステップと、
該選択されたビデオラインの間に該変調されたＲＦ搬送波信号から、該コピープロテクション信号の存在を示すタイミング制御信号を供給するステップと、
後に復調されたときに該コピープロテクション信号の影響を無効にするため、該供給するステップに応答して、該選択されたビデオラインに該コピープロテクション信号が存在する間に、該変調されたＲＦ搬送波信号における該擬似同期パルス、及び／又はバックポーチＡＧＣ又はＡＧＣパルス、若しくはカラーストライプ信号をＲＦ領域で変更するステップとを備える、
ことを特徴とする方法。
【請求項１６】
該変調されたＲＦ搬送波信号を選択されたソースを介して供給するステップと、
残留の可視のＲＦ搬送波周波数信号を除去する一方で、該変調されたＲＦ搬送波信号からベースバンドビデオ信号を復元するステップと、
正常な垂直同期パルス及び水平同期パルスに、並びにコピープロテクション信号を該ベースバンドビデオ信号から分離するステップと、
該正常な垂直同期パルス及び水平同期パルスに応答して、該コピープロテクション信号の存在を示す該タイミング制御信号を発生するステップと、
該コピープロテクション信号の影響を無効にし、関連するビデオ信号の許容できる記録を許可するため、該コピープロテクション信号が存在するときに該タイミング制御信号に応答して該変調されたＲＦ搬送波信号を変更するステップとを含む、
請求項１５記載の方法。
【請求項１７】
該変更するステップは、
フィルタ手段を介して、該コピープロテクション信号が存在する間に該タイミング制御信号に応答して、該変調されたＲＦ搬送波信号を減衰するステップを含む、
請求項１５記載の方法。
【請求項１８】
該変更するステップは、
該タイミング制御信号に応答して、該選択されたビデオラインの間に該コピープロテクション信号のピーク包絡線をＲＦ電圧制御手段により抑圧するステップを含む、
請求項１５記載の方法。
【請求項１９】
該変更するステップは、
変調されていないか又はＲＦ変調用のコピープロテクション信号を含んでいない第二のＲＦ搬送波信号を供給するステップと、
該タイミング制御信号に応答して、コピープロテクション信号を有する該変調されたＲＦ搬送波信号を該第二のＲＦ搬送波信号で置き換えるステップとを含む、
請求項１５記載の方法。
【請求項２０】
該変更するステップは、
該変調されたＲＦ搬送波信号から、該変調されたＲＦ搬送波信号の周波数と実質的に同じ周波数からなる連続波のＲＦ搬送波信号を発生するステップと、
該タイミング制御信号に応答して、該コピープロテクション信号が存在する間に、該連続波のＲＦ搬送波信号で該変調されたＲＦ搬送波信号の変調の深さを変えるステップとを含む、
請求項１５記載の方法。
【請求項２１】
該変調されたＲＦ搬送波信号を変調するために水平同期信号及び垂直同期信号が使用され、該供給するステップは、
該変調されたＲＦ搬送は信号の最小の直流レベルを復元するステップと、
該復元された最小の直流レベルから、該水平同期パルス及び該垂直同期パルスのパルス幅を反映するＲＦバースト信号を発生するステップと、
該ＲＦバースト信号に応答して、該水平同期パルス及び該垂直同期パルスをフィルタ出力するステップを含む、
請求項２０記載の方法。
【請求項２２】
該コピープロテクション信号は、バックポーチＡＧＣパルスをさらに備え、
該供給するステップは、該選択されたビデオラインにおける該ＲＦ搬送波信号を該擬似同期パルス及び／又はＡＧＣパルス若しくはバックポーチＡＧＣパルスによりＲＦ領域で変調するステップを含み、
該変更するステップは、関連するビデオ信号の許容できるコピーの記録を許可するため、該擬似同期パルス及び／又はＡＧＣパルス若しくはバックポーチＡＧＣパルスが後に適切に復調することができるように、該タイミング制御信号に応答して該擬似同期パルス及び／又はＡＧＣパルス若しくはバックポーチＡＧＣパルスを十分に変更、置換又は削除するステップを含む、
請求項３記載の方法。
【請求項２３】
該コピープロテクション信号は、カラーバースト位相誤差を有するカラーストライブバースト信号を含み、
該供給するステップは、該選択されたビデオラインにおける該ＲＦ搬送波信号を該カラーストライプバースト信号によりＲＦ領域で変調するステップを含み、
該変更するステップは、後に復調されたときに正しいカラーバースト位相を与えるため、該カラーストライプバースト信号を十分に変更、置換又は削除するステップを含む、
請求項２２記載の方法。
【請求項２４】
コピープロテクトされたビデオ信号が見られることを可能にし、コピープロテクトされたビデオ信号の許容できるコピーの記録を防止するため、関連するビデオ信号のうちの選択されたビデオラインの帰線消去期間に付加される、擬似同期パルス及び／又は自動利得制御（ＡＧＣ）パルス、若しくはカラーストライプ信号から形成されるコピープロテクション信号を無効にする装置であって、
見ることのできるビデオ信号を受信し、プロテクション信号を形成する該擬似同期パルス及び／又はＡＧＣパルスにより変調される無線周波（ＲＦ）搬送波信号を供給する手段と、
該変調されたＲＦ搬送波信号を受信し、該コピープロテクション信号のタイミング位置を示すタイミング制御信号を生成する手段と、
前もってのみ見ることのできるビデオ信号の許容できるコピーの記録が可能であるために該コピープロテクション信号が後に復調されたときに十分に無効にするため、該タイミング制御信号に応答して、該変調されたＲＦ搬送波信号において該コピープロテクション信号が存在する間に該コピープロテクション信号又は該コピープロテクション信号の一部をＲＦ領域で振幅及び／又は周波数変調する手段とを備える、
ことを特徴とする装置。
【請求項２５】
該変更する手段は、
該変調されたＲＦ搬送波信号に結合され、該タイミング制御信号に応答するＲＦスイッチと、
出力ＲＦ搬送波信号を供給して、該コピープロテクション信号を無効にするため、該変調されたＲＦ搬送波信号を受信し、該タイミング制御信号による該ＲＦスイッチ手段の切換えに応答して該コピープロテクション信号を選択的に変更するフィルタ手段とを含む、
請求項２４記載の装置。
【請求項２６】
該フィルタ手段は、該タイミング制御信号に応答して、該コピープロテクション信号が存在しない場合に該変調されたＲＦ搬送波信号を通過させ、該コピープロテクション信号が存在する場合に該変調されたＲＦ搬送波信号を選択的に減衰するノッチフィルタである、
請求項２５記載の装置。
【請求項２７】
該変更手段は、該変調されたＲＦ搬送波信号を受信し、該タイミング制御信号に応答して、帰線消去期間の間に該変調されたＲＦ搬送波信号のピーク包絡線を抑圧するＲＦ変調器手段を含む、
請求項２４記載の装置。
【請求項２８】
該変更手段は、該変調されたＲＦ搬送波信号への一方の入力、及び第二の信号への別の入力で結合されるＲＦスイッチ手段を含み、該ＲＦスイッチ手段は、該タイミング制御信号に応答して、該変調されたＲＦ搬送波信号を該コピープロテクション信号が存在する間に該第二の信号で置き換える、
請求項２４記載の装置。
【請求項２９】
該第二の信号は、変調されていないＲＦ搬送波、後に復調されたときに無効となるように十分に低い値の信号、又はノイズを含むカラー信号で変調されたＲＦ搬送波信号、カラーバー信号若しくは不十分なコピープロテクション信号を含む信号を備える、
請求項２８記載の装置。
【請求項３０】
生成する手段は、
該変調されたＲＦ搬送波信号からベースバンドのビデオ信号を供給する手段と、
該ベースバンドビデオ信号から、垂直同期信号及び水平同期信号を供給する同期分離手段と、
該垂直同期信号及び水平同期信号に応答して、該タイミング制御信号を生成するためのロジックタイミング手段とを含む、
請求項２４記載の装置。
【請求項３１】
該変調されたＲＦ搬送波信号はルミナンス信号であり、該変更する手段は、
選択されたＲＦ周波数からなる第二の信号を供給するソース手段と、
該ルミナンス信号である該変調されたＲＦ搬送波信号及び該ソース手段からの該第二の信号を受信し、該タイミング制御信号に応答して該コピープロテクション信号が存在する間に該ルミナンス信号である該変調されたＲＦ搬送波信号に該ソース手段からの該第二の信号を挿入するＲＦスイッチ手段とを含む、
請求項２４記載の装置。
【請求項３２】
該変調されたＲＦ搬送波信号はルミナンス信号であり、該変更する手段は、
選択された周波数からなる第二の信号を供給する発振器手段と、
該ルミナンス信号である該変調されたＲＦ搬送波信号と該発振器手段からの該第二の信号を受信し、側波帯信号を発生する変調器手段と、
該ルミナンス信号である該変調されたＲＦ搬送波信号と該側波帯信号とを受信し、該コピープロテクション信号を無効にするため、該タイミング制御信号に応答して、該ルミナンス信号である該変調されたＲＦ搬送波信号における該コピープロテクション信号を該側波帯信号でレベルシフトするＲＦスイッチ手段とを含む、
請求項２４記載の装置。
【請求項３３】
該生成する手段は、
ベースバンドのルミナンス信号である復調された信号を発生するための検出器を含む手段と、
該ベースバンドのルミナンス信号である復調信号から垂直同期信号及び水平同期信号を供給する同期分離器手段と、
該垂直同期信号及び該水平同期信号に応答して、該コピープロテクション信号を含むアクティブなビデオラインを示すラインロケータ信号を供給するロジックタイミング手段とを含む、
請求項２４記載の装置。
【請求項３４】
該ロジックタイミング手段は、
該水平同期信号を受信して、アクティブなビデオラインの期間を有するパルスを生成する第一のマルチバイブレータ手段と、
該垂直同期信号を受信して、該コピープロテクション信号を含む該アクティブなビデオラインを示す信号を生成する第二のマルチバイブレータ手段と、
該第一及び第二のマルチバイブレータ手段に応答して、該ラインロケータ信号を生成する論理積ゲートとを含む、
請求項３３記載の装置。
【請求項３５】
該コピープロテクション信号は、選択された電圧レベルからなる変調用の擬似同期パルス及び／又はバックポーチＡＧＣパルスを含み、該生成する手段は、
該ベースバンドのルミナンス信号である復調信号を受信し、該ラインロケータ信号に応答して結果的に得られるルミナンス信号を同期チップの電圧レベルにクランプするクランピング／ゲート手段と、
該同期チップ及びＡＧＣパルスの電圧レベルのそれぞれに対応する第一の閾値電圧及び第二の閾値電圧を供給する手段と、
該結果的に得られるルミナンス信号に応答して、それぞれのコピープロテクション信号のタイミング位置を識別するため、該擬似同期パルス及びＡＧＣパルスのそれぞれと同時に選択された論理レベルＰＳ及びＡＧＣを供給する比較器手段とをさらに含む、
請求項３３記載の装置。
【請求項３６】
該比較器手段のそれぞれから該選択された論理レベルＰＳ及びＡＧＣを受信する論理積ゲートを含み、その後に復調されたときに無効にされる、対応する狭くされた変調用の擬似同期パルス及びＡＧＣパルスのそれぞれと同時に、狭くされた論理レベルＮＰＳ及びＮＡＧＣを供給するパルス幅を狭くする手段を含む、
請求項３５記載の装置。
【請求項３７】
該ラインロケータ信号と、該ＰＳ、ＡＧＣ、ＮＰＳ及びＮＡＧＣ論理レベルのうちの選択された論理レベルとに応答して、該変更する手段に供給される該タイミング制御信号を生成する論理結合回路をさらに含む、
請求項３６記載の装置。
【請求項３８】
該変更する手段は、
該変調されたＲＦ搬送波信号を受信し、該変調されたＲＦ搬送波信号の周波数と実質的に同じ周波数からなる連続波のＲＦ搬送波を供給するＲＦ搬送波再生手段と、
該変調されたＲＦ搬送波信号及び該連続波のＲＦ搬送波を受信し、該タイミング制御信号に応答して、該コピープロテクション信号の時間間隔の間に、該変調されたＲＦ搬送波信号を該連続波のＲＦ搬送波で選択的に変更するＲＦ搬送波変調の深さ回路とを含む、
請求項２４記載の装置。
【請求項３９】
該生成する手段は、
該変調されたＲＦ搬送波信号を受信し、垂直同期信号、及び水平同期信号と擬似同期信号とを含む複合同期信号を供給する同期スライス／フィルタ手段と、
該垂直同期信号と該複合同期信号とに応答して、擬似同期信号及び／又は自動利得制御（ＡＧＣ）信号のそれぞれと同時に論理レベルＰＳ及びＡＧＣを供給し、該擬似同期信号及び／又は該ＡＧＣ信号のタイミング位置を示す該タイミング制御信号を生成するロジックタイミング回路とを含む、
請求項３８記載の装置。
【請求項４０】
該同期スライス／フィルタ手段は、
該変調されたＲＦ搬送波信号を受信し、該変調されたＲＦ搬送波信号の包絡線を同期チップの電圧レベルに対応するピーク直流値に復元する直流復元回路と、
該直流復元回路に応答して、該擬似同期信号及び／又は該ＡＧＣ信号とタイミング位置で同時にＲＦのバーストを供給するため、ピークＲＦ値をその最大値を僅かに下回る値にスライスする比較器手段と、
該スライスされたピークＲＦ値に応答して、垂直同期信号、水平同期信号及び擬似同期信号を含む複合同期信号を供給するフィルタ手段とを含む、
請求項３９記載の装置。
【請求項４１】
該比較器手段は、スライスのレベルを確定する閾値電圧入力を含み、
該フィルタ手段は、該複合同期信号を供給する第一の低域通過フィルタと、該複合同期信号から該垂直同期信号を分離する第二の低域通過フィルタとを含む、
請求項４０記載の装置。
【請求項４２】
該ロジックタイミング回路は、
該複合同期信号を受信し、ビデオラインの期間を有するパルスを生成する第一のマルチバイブレータ手段と、
該垂直同期信号を受信し、該擬似同期信号及び／又は該ＡＧＣ信号を含む該ビデオラインを示すパルスを生成する第二のマルチバイブレータ手段と、
該第一のマルチバイブレータ及び該第二のマルチバイブレータ手段に応答して、該擬似同期信号及び／又は該ＡＧＣ信号を含む該ビデオラインを示すラインロケータ信号を生成する論理積ゲートと、
該ラインロケータ信号と該複合同期信号を受信し、該タイミング制御信号を生成するゲート／ロジック手段とを含む、
請求項３９記載の装置。
【請求項４３】
該ゲート／ロジック手段は、
該ラインロケータ信号及び該複合同期信号を受信し、該擬似同期信号を供給する論理積ゲートと、
該擬似同期信号に応答して、該ＡＧＣ信号を供給するマルチバイブレータ手段と、
該ラインロケータ信号及び該擬似同期信号並びに該ＡＧＣ信号に応答して、該タイミング制御信号を生成する論理結合回路とを含む、
請求項４２記載の装置。
【請求項４４】
該ＲＦ変調の深さ回路は、
該ＡＧＣ論理レベル信号に応答して、ＡＧＣコピープロテクション信号が存在する間に該変調されたＲＦ搬送波信号を再生された連続波のＲＦ搬送波で置き換えるＲＦスイッチ手段を含む、
請求項３９記載の装置。
【請求項４５】
該ＲＦ変調の深さ回路は、
該再生された連続波のＲＦ搬送波の位相を反転する手段と、
該反転された連続はのＲＦ搬送波を受信し、該ＰＳ論理レベル信号に応答するＲＦスイッチ手段と、
該ＰＳ論理レベル信号に応答して、擬似同期信号であるコピープロテクション信号が存在する間に該変調されたＲＦ搬送波信号と該反転された位相の連続波のＲＦ搬送波とを加算する加算手段とを含む、
請求項３９記載の装置。
【請求項４６】
該ＲＦ変調の深さ回路は、
該反転された論理レベルＰＳ及び該ラインロケータ信号、並びに該論理レベルＡＧＣ信号を受信し、利得制御信号を供給する加算増幅手段と、
該ラインロケータ、該ＰＳ又はＡＧＣ論理レベル信号のいずれかにより指示されたときに該利得制御信号に応答して、該変調されたＲＦ搬送波信号を選択的に変更するためのＲＦ変調器手段とを含む、
請求項３９記載の装置。
【請求項４７】
該コピープロテクション信号は、カラーバースト位相誤差を更に含むカラーストライプバースト信号を含み、該変更する手段は、
該変調されたＲＦ搬送波信号の選択された周波数と実質的に同じ周波数からなる連続波のＲＦ搬送波を発生する第一の手段と、
該カラーバーストに応答して、該選択された周波数と実質的に同じ周波数を有するカラーバースト変調された連続波のＲＦ搬送波信号を発生する第二の手段と、
ＲＦ変調用のカラー副搬送波の連続波信号を供給するため、該連続波のＲＦ搬送波を該カラーバースト変調された連続波のＲＦ搬送波信号と結合する加算手段と、
該タイミング制御信号に応答して、該コピープロテクション信号が存在する間に、該ＲＦ変調用のカラー副搬送波信号を該ＲＦ変調された搬送波信号に挿入するＲＦスイッチ手段とを含む、
請求項２４記載の装置。
【請求項４８】
該生成する手段は、
該カラーバーストの出現と同時にバーストロケーション信号を該変調されたＲＦ搬送波信号から生成するカラーバースト検出器手段と、
該バーストロケーション信号に応答して、該タイミング制御信号を生成するロジックタイミング手段とを含む、
請求項４７記載の装置。
【請求項４９】
該生成する手段は、
該カラーバーストと同時に起こるバースト関連信号であって、カラーバースト周波数により変調された該変調されたＲＦ搬送波信号の選択された周波数に対応する周波数を有するバースト関連信号を生成する帯域通過フィルタと、
該バースト関連信号に応答して、ビデオラインの期間に対応する期間を有するパルスを生成する第一のマルチバイブレータ手段と、
該パルスに応答して、該カラーバーストと同時に起こるバーストロケーション信号であって、該バースト関連信号の周波数をもつバーストロケーション信号を生成する第二のマルチバイブレータ手段とを含む、
請求項４８記載の装置。
【請求項５０】
第一の発生する手段は、該選択された周波数と実質的に同じ周波数を有する位相ロックループを含み、
該第二の発生する手段は、
該帯域通過フィルタ手段に応答し、該バーストロケーション信号に応答して該カラーバースト関連信号を通過するＲＦゲート手段と、
カラーバースト周波数により変調された該変調されたＲＦ搬送波信号の周波数を有し、該カラーバースト変調された連続波のＲＦ搬送波信号を発生する位相ロックループとを含む、
請求項４８記載の装置。
【請求項５１】
該変調されたＲＦ搬送波信号は、可聴のＲＦ搬送波部分を含み、
該装置は、該変調されたＲＦ搬送波信号を受信し、該変調されたＲＦ搬送波信号から該可聴ＲＦ搬送波部分を抽出するフィルタ手段と、
該抽出された可聴ＲＦ搬送波部分を受信する加算手段とを含み、
該変更する手段は、
該変調されたＲＦ搬送波信号を受信し、該コピープロテクション信号が無効にされ、該可聴ＲＦ搬送波部分が劣化される、ＲＦ搬送波信号を供給する処理回路と、
該劣化した可聴ＲＦ搬送波部分をもつ該ＲＦ搬送波信号を受信し、該コピープロテクション信号が除かれて該ＲＦ搬送波信号のみを該加算手段に供給するノッチフィルタ手段とを含み、
該加算手段は、可聴ＲＦ搬送波信号を完全な形で含むＲＦ搬送波信号を提供するため、コピープロテクション信号を含まない該ＲＦ搬送波信号と該可聴のＲＦ搬送波部分とを結合する、
請求項２４記載の装置。
【請求項５２】
コピープロテクトされたビデオ信号を見ることを可能にし、該ビデオ信号のコピーを禁止するため、ビデオ信号のうちの選択されたビデオラインの帰線消去期間にコピープロテクション信号を無線周波（ＲＦ）領域で付加する方法であって、
見ることのできるビデオ信号により変調されるＲＦ搬送波信号を供給するステップと、
復調器手段により該ＲＦ搬送波信号からタイミング制御信号を生成するステップと、
該変調されたＲＦ搬送波信号の帰線消去期間の選択された部分においてベースバンドのコピープロテクション信号を発生するステップと、
該ベースバンドのコピープロテクション信号に応答して、帰線消去期間において該ＲＦ搬送波信号の該ＲＦ搬送波を変更するステップとを備え、
前記変更するステップは、ビデオ信号を見ることを可能にする一方でコピーを禁止するため、ＲＦ領域において該ＲＦ搬送波を該コピープロテクション信号で振幅及び／又は周波数変調するステップを含む、
ことを特徴とする方法。
【請求項５３】
該変更するステップは、
帰線消去期間の該選択された部分において該ＲＦ搬送波を変調して該ＲＦ搬送波の振幅を増加し、該ビデオ信号のコピーを禁止するための擬似同期信号を形成するステップを含む、
請求項５２記載の方法。
【請求項５４】
該変更するステップは、
帰線消去期間の該選択された部分において該ＲＦ搬送波を変調して該ＲＦ搬送波の振幅を増加及び／又は減少し、該ビデオ信号のコピーを禁止する擬似同期パルス及び／又は自動利得制御パルスのそれぞれを形成するステップを含む、
請求項５２記載の方法。
【請求項５５】
該ビデオ信号は、帰線消去期間におけるカラーバースト信号により変調され、該変更するステップは、
帰線消去期間に該カラーバースト信号が存在する場合に該ＲＦ搬送波を変調して該変調の深さ又は該カラーバースト信号の位相シフトを変更し、該ビデオ信号のコピーを禁止するカラーストライプバースト信号を供給するステップを含む、
請求項５２記載の方法。
【請求項５６】
該変更するステップは、
帰線消去期間の該選択された部分において該ＲＦ搬送波を変調して該ＲＦ搬送波の周波数を減少／増加し、該ビデオ信号のコピーを禁止する擬似同期信号及び／又は自動利得制御信号のそれぞれを形成するステップを含む、
請求項５２記載の方法。
【発明の詳細な説明】
関連出願及び特許へのクロスリファレンス
本発明は、同一人が権利を保有する１９８６年１２月２３日に発行された発明の名称が“METHOD AND APPARATUS FOR PROCESSING A VIDEO SIGNAL SO AS TO PROHIBIT THE MAKING OF ACCEPTABLE VIDEO TAPE RECORDING THEREOF”の米国特許第４，６３１，６０３号、１９８６年３月１８日に発行された発明の名称が“METHOD AND APPARATUS FOR MODIGYING THE COLOR BURST TO PROHIBIT VIDEOTAPE RECORDING”の米国特許第４，５７７，２１６号、１９８６年１２月２日に発行された発明の名称が“METHOD AND APPARATUS FOR REMOVING PHASE MODULATION FROM THE COLOR BURST”の米国特許第４，６２６，８９０号、１９８７年９月２２日に発行された発明の名称が“METHOD AND APPARATUS FOR REMOVING PSEUDO-SYNC AND/OR AGC PULSE FROM A VIDEO SIGNAL”の米国特許第４，６９５，９０１号、１９９０年６月２６日に発行された発明の名称が“METHOD AND APPARATUS FOR PREVENTING THE COPYING OF A VIDEO PROGRAM”の米国特許第４，９０７，０９３号、１９８９年４月４日に発行された発明の名称が“METHOD AND APPARATUS FOR CLUSTERING MODIFICATIONS MADE TO A VIDEO SIGNAL TO INHIBIT THE MAKING OF ACCEPTABLE VIDEOTAPE RECORDINGS”の米国特許第４，８１９，０９８号、１９９２年１０月２０日に発行された発明の名称が“METHOD AND APPARATUS FOR DISABLING ANTI-COPY PROTECTION SYSTEM IN VIDEO SIGNALS USING PULSE NARROWING”の米国特許第５，１５７，５１０号、１９９３年３月１６日に発行された発明の名称が“METHOD AND APPARATUS FOR DISABLING ANTI-COPY PROTECTION SYSTEM IN VIDEO SIGNALS”の米国特許第５，１９４，９６５号、並びに、１９９５年５月９日に出願された同時係属中の発明の名称が“METHOD AND APPARATUS FOR DEFEATING EFFECTS OF COLOR BURST MODIFICATIONS TO A VIDEO SIGNAL”の米国特許出願第０８／４３８，１５５号に関連する。
発明の背景
本発明は、ビデオ信号からのコピー防止信号の除去に係わり、特に、コピー防止信号によって変調されたＲＦ搬送波信号の包絡線（エンベロープ）を選択的に変更することにより、このようなコピー防止信号を無効にする方法及び装置に関する。本発明は、記録媒体に予め記録され、衛星を介して伝送され、テレビジョンカメラによって発生され、及び／又は、テレビジョンチャネル又はケーブルシステムを介した伝送によって回復されたビデオ信号の互換性を復元する種々の実施例に適用可能である。本発明は、また、コピー防止信号をＲＦ域のＲＦ搬送波信号に追加するため、コピー防止信号を保有しない標準的なビデオ信号によって変調されたＲＦ搬送波信号の変更に関する。
ビデオエンジニアリングの当業者において、ビデオコピー防止は、コピー防止処理されたビデオ信号が最小限の可視アーティファクト若しくは可視アーティファクトを全く伴わずに可視化され、このような信号の記録物の再生が不可能であるか、或いは、非常に劣化した娯楽的価値しか含まない信号を生成するシステムとして定義されている。コピー防止はビデオスクランブルとは区別する必要がある。ビデオスクランブルとは、ビデオ信号が可視化できないことを意味する。スクランブル処理された信号は記録可能であるが、スクランブル解除されない限り、このような記録物を再生しても可視化できない。
上記の関連出願及び特許へのクロスリファレンスによって明らかにされるように、許容できるビデオ記録物の作成を無効にするだけではなく、ビデオ信号が記録できるように、すなわち、そのままコピーできるようにこのようなコピー防止技術を無効にする多数の技術が従来技術において公知である。そのため、ある種の条件下では、コピー防止システムが、例えば、認証され許可されたコピー作成中、或いは、スタジオ編集の目的のため、コピー防止処理された記録物の記録を許可することを禁止する必要がある。上記の引用文献から判るように、幾つかの基本的技術が、記録されたビデオ信号並びに有線若しくは伝送されたビデオ信号のコピー防止を行うために典型的に適用される。同様に、幾つかの基本技術は、多様なビデオ信号のソースと共に使用される種々のコピー防止技術を打ち破り、或いは、除去するため典型的に適用される。
一例として、コピー防止技術は、上記クロスリファレンスに列挙された米国特許第４，６３１，６０３号、第４，８１９，０９８号及び第４，９０７，０９３号の主題であり、テレビジョンセットが変更された信号から正常なビデオピクチャーを生成し、変更された信号から作られたビデオテープ記録物が許容できないピクチャーを生成するようにビデオ信号を変更することに関係するこれらの開示内容は参考のため引用される。これらのコピー防止技術は、正常な同期パルスに類似した疑似同期信号の追加、及び／又は、正常及び疑似同期パルスの一部の立ち下がりエッジに続く高レベルの正パルス（以下、自動利得制御パルス若しくはＡＧＣパルスと呼ぶ）の追加に依拠する。このようなコピー防止信号は、以下、「アンチコピー（コピー防止）パルス及び／又は信号」と称される。ビデオ信号の帰線消去信号レベルから正常な同期先端（チップ）レベルまで広がる疑似同期パルスは、一般的に、垂直帰線消去間隔の中から選択されたラインの間でビデオ信号に追加される。各疑似同期パルス毎に、疑似同期パルスとＡＧＣパルスのペアを得るため、上記の高レベルＡＧＣパルスが後に続けられ、このペアは、ビデオ信号のある場所、例えば、垂直帰線消去間隔、或いは、垂直帰線消去間隔の直ぐ隣のビデオラインに挿入される。コピー防止は、同期及び／又は疑似同期先端と、夫々の高ＡＧＣパルスレベルとの間の電圧差を誇張し、次に、例えば、ビデオテープレコーダ又はレコードＶＣＲの自動利得制御（ＡＧＣ）系にビデオ信号レベルを誤って評価させることにより実現される。すなわち、ＡＧＣ系は、利得補正を生成するので、ビデオテープに記録される信号が極端に低いレベルまで低減される。かくして、このような記録物の再生中に、得られる再生ビデオ信号は、通常のテレビジョンセットでは許容できない程に品質の悪い不安定なピクチャーを発生させる。
コピー防止技術の別の例は、上記クロスリファレンスに挙げられた米国特許第４，５５７，２１６号に記載され、テレビジョンセットが正常なカラーピクチャーを生成し、一方、変更されたカラービデオ信号のビデオテープ記録物は、水平方向に配置されたカラー帯の形で煩わしいカラー妨害、以下では、「カラーストライプ」効果と呼ぶ妨害を提示するようにビデオ信号を変更することに関係するこれらの開示内容は参考のため引用される。かかるカラーストライプ効果は、アンチコピーパルス若しくは信号、又は、コピー防止信号であると考えられ、以下、このように呼ばれる。このため、ビデオ信号と一体化されたカラーバースト信号は、意図的な位相誤差を含む変更されたカラーバースト信号を生成するため、例えば、ランダム、疑似ランダムノイズ信号のような種々の方法の中のいずれかの方法で位相変調される。したがって、テレビジョンセットの回路は、許容できるカラーピクチャーを生成するため、このような位相変調を本質的に無視するが、ＶＣＲ内の速度誤差或いはカラー安定性訂正回路は、上記の米国特許第４，５７７．２１６号に記載されているように導入された位相誤差を訂正するように作用する。この引用文献に記載されているように、速度誤差訂正回路は、ビデオ信号のカラーバースト信号からクロミナンス信号に誤差を移し、これにより、厳しく、かつ、障害性のあるカラーノイズ、すなわち、カラーストライプ効果をビデオカラーピクチャーに生成する。
コピー防止システムの効果を無効にし若しくは除去する技術の例は、上記クロスリファレンスに挙げられた米国特許第４，６９５，９０１号、第５，１５７，５１０号及び第５，１９４，９６５号に記載され、これらの開示内容は参考のため引用される。これらの引用文献の主題は、ビデオ信号のコピーを阻止するためアンチコピー信号として疑似同期及び／又はＡＧＣパルスを利用する上記のコピー防止技術を打ち破り、或いは、無効にすることに関する。このため、疑似同期及び／又はＡＧＣパルスは、最初にアンチコピーパルスのタイミング位置を判定し、次に、レベルシフトし、幅を狭小化するか若しくは周波数コンテントを増加し、及び／又は、ＶＣＲ回路がコピー防止を行うアンチコピーパルスに応答しなくなる量まで少なくともパルスの一部を減衰させ、置換若しくは変更することにより、効果的に除去若しくは禁止される。ＡＧＣパルスは、他の選択された信号によって置換し、或いは、同期パルスの発生に続く所定の時間期間に亘ってビデオ信号を選択的に消去することにより、除去される。また、疑似同期パルスの除去は、パルスの検出に応じて、負側に変化する疑似同期パルスを選択的にクリップすることによって達成される。したがって、このようなコピー防止除去技術は、ＶＣＲの特性に起因して、アンチコピー信号の有効性が低下するか、或いは、認証されていないコピー作成を阻止できなくなるまでゼロ化されるように、信号を置換、抑制、或いは、変更する種々の手段を考慮する。
カラーストライプ効果を発生させることによりコピー防止システムを打ち破るか、或いは、除去する典型的な技術は、上記クロスリファレンスに挙げられた米国特許第４，６２６，８９０号及び同時係属中の１９９５年５月９日に出願された米国特許出願第０８／４３８，１５５号に記載され、これらの開示内容は参考のため引用される。これらの特許及び出願に記載された技術は、最初に、予め解析し、例えば、位置をプログラマブルメモリにプログラミングするか、或いは、例えば、位相検波回路を用いてライン単位でカラーストライプを含む各カラーバーストを送ることにより、カラーストライプバーストを含むビデオライン位置を判定する。次に、引用文献によれば、変調されたカラーバースト信号を再生されたカラーバースト副搬送波成分で置き換え、カラーストライプバーストを変更するか、若しくは、ビデオ信号を変更し（例えば、カラーストライプバーストよりも穿孔する水平同期パルスを変更し）、一部のカラーストライプバーストを除去し、振幅若しくは間隔に関してカラーストライプバーストを減衰させ、及び／又は、各カラーストライプバーストの一部又はカラーストライプバーストの大部分を除去、位相シフト、若しくは、減衰させることにより、カラーストライプバースト効果の打ち消しが行われる。或いは、カラーバースト信号、すなわち、任意のカラーストライプバーストは、アクティブテレビジョンフィールド全体を通じて、夫々の正しいカラーバースト信号と置き換えてもよく、これにより、次に、許容できるコピー物を記録することができる。
上記の関連した引用文献を参照することにより判るように、コピー防止を行う技術及び方法、並びに、コピー防止システムのアンチコピー信号を打ち消す技術及び方法は、アンチコピーパルスを獲得するため、ベースバンドビデオ信号を用いてベースバンドビデオ域で動作する。また、コピー防止システムを禁止し、許容できるビデオ信号記録物の作成を許可するために、カラーストライプ効果を含む選択されたアンチコピーパルスの変更は、ベースバンドビデオ域で行われる。
ＲＦ域でコピー防止信号を無効にする技術を利用する一例は、H. Switsenに発行された発明の名称が“Video Tape Recorder Signal Processor”の米国特許第４，４６７，３５８号に記載されている。この特許は、完全な垂直同期パルス幅を元の複合ビデオ信号に再挿入する回路を開示し、とくに、ａｈがより狭く、より弱い垂直同期パルスを含むように変更されているので、変更されたビデオ信号のビデオテープ記録を行うことは、困難若しくは不可能である。この再挿入処理は、変更されたビデオ信号を伝搬するベースバンドビデオケーブル又はラインを中断、切断或いはカットすることなく行われるので、歪みのない広帯域ビデオ増幅器を注意深く設計する必要はなく、これらの増幅器を動作させる電力、これらの増幅器による再挿入器に使用されるスペース、これらの増幅器を製造するためのコストに注意して設計する必要はない。しかし、このシステムは、依然として垂直同期パルスの位置を表わすタイミング信号を適用するため使用される第２のベースバンドビデオ入力を利用する。
ベースバンド域でコピー防止を無効にする技術は、オーディオ及びビデオ信号をそれぞれに収容する２個の別個のリード部を使用しなければならない点が不利であり、一方、本発明のコピー防止技術を無効にするＲＦ搬送波ベースのシステムは、例えば、ルミナンス信号に対応したＲＦ搬送波信号を伝搬する単一のリード部だけを必要とする。また、有線、カーブルなどの環境でコピー防止信号を無効にするとき、ベースバンド域のコピー防止破棄システムは、記録可能なコピー物を許容するためチューナー変調回路に複雑さを加える必要があるが、ＲＦ搬送波域システムの場合にはその必要がない。
発明の概要
本発明は、上記のアンチコピーパルス及び／又はカラーストライプ効果によるコピー防止信号を無効にする新規の方法及び装置を提供する。このため、本発明は、上記のコピー防止技術及びコピー防止禁止技術の場合のようなベースバンドビデオ域ではなく、ＲＦ域で動作する。特に、本発明は、コピー防止信号によって変調されたＲＦ搬送波信号に関連した信号検出及び信号変更技術を用いて疑似同期、ＡＧＣ及び／又はカラーストライプアンチコピー信号を無効にするいくつかの方法及び装置を提案する。本発明は、また、このようなコピー防止信号をＲＦ域でＲＦ搬送波信号に挿入することを提案する。
本発明の一例は、コピー防止信号によって変調されたＲＦ搬送波信号を検出若しくは復調する手段を含む。カラーバーストと一致するパルスは、復調又は検出された信号から取り出され、これにより、垂直帰線消去間隔を含むビデオフィールド全体を通じてコピー防止信号の位置が得られる。或いは、ＲＦ変調用カラーバーストと一致するパルスは、帯域フィルタ及びワンショット・マルチバイブレータを介して得ることができる。最後のカラーバーストは、垂直帰線消去間隔内で付加的な関連パルスの位置を見つけるために使用され得る。得られたパルスは、本発明の組合せに従って種々のＲＦ搬送波変更手段の中の各変更手段を同期させるタイミング制御信号として使用される。各変更手段は、検出されたライン内でアンチコピー信号の変更、置換などを行い、これにより、夫々のビデオ信号の許容できるコピーが引き続いて記録できるように関連したコピー防止を充分に抑える。
ＲＦ搬送波を変調するため疑似同期及び／又はＡＧＣアンチコピーパルスを利用するコピー防止システムにおいて、ＲＦ搬送波変更手段は、復調されたアンチコピー信号に減衰、抑制、レベルシフトなどを行う装置及びその方法を含む。ＲＦ域における別の変更手段は、適当な減衰によって、及び／又は、ＲＦ搬送波を加算若しくは減算することによりアンチコピーパルス変調包絡線を効率的に狭小化し、このため、例えば、ＶＣＲにおいて後で行われる変更されたアンチコピー信号の復調によって、通常の許容できる記録が行えるようになる。例えば、コピー防止信号の変調の深さは、その影響を除去するため選択的に変えてもよい。別の変更手段は、変調されたＲＦ搬送波信号を別の選択されたＲＦ搬送波又はビデオ信号で置き換え、及び／又は、ＲＦ変更信号を変調されたＲＦ搬送波信号に対し加算若しくは減算し、これにより、後で記録可能なコピーが作成されるように変調されたＲＦ搬送波信号を別の信号若しくは電圧レベルによって置換、減衰、又は、変形する。
カラーバーストＲＦ搬送波を変更するためカラーストライプ効果を利用するコピー防止システムにおいて、ＲＦ搬送波変更手段は、変調されたカラーストライプバーストＲＦ包絡線の変調の深さを変更、及び／又は、狭小化し、或いは、カラーバースト位相が引き続いて記録されたときに適切に復調されるようにカラーバースト位相を十分に訂正するため、カラーストライプバーストＲＦ包絡線を位相シフトする。別の変更手段は、それぞれのテレビジョンチャネルのＲＦ搬送波を再生する手段と、例えば、カラーストライプバーストの位相誤差を平均するカラーバースト位相ロックループを用いて搬送波周波数とカラーバースト周波数とにより形成された側波帯周波数を再生する手段とを含む。２個の再生されたＲＦ信号は、次に、正しいＲＦ変調カラー副搬送波信号を生成するためＲＦ域で加算される。ＲＦ域のカラー副搬送波信号は、次に、上記のタイミング制御信号に応答してカラーストライプアンチコピー信号の間隔中に元のＲＦ変調カラーストライプ信号を置き換え、後の記録過程でカラーストライプ効果を打ち破るか、或いは、弱める。
ＲＦ域のカラーストライプ効果を無効にする別の変更手段は、カラーストライプバースト変調を位相シフトされた側波帯周波数の高調波と混合若しくはヘテロダイン合成する手段（ＲＦ搬送波とカラーバースト周波数の和）とローパスフィルタリング手段とを適用して、カラーストライプバーストの効果を無効にする。或いは、コピー防止信号に対応した変調されたＲＦ搬送波の周波数は、正常な周波数帯域外の周波数を与えるように変更してもよく、これにより、レコードＶＣＲのチューナーは充分に応答しないのでコピー防止信号を有効にできない。
本発明によるＲＦ域においてコピー防止システムを無効にする種々の方法及び回路は、以下の詳細な説明に完全に記載されている。このようなコピー防止信号をＲＦ域に追加することも開示されている。
【図面の簡単な説明】
図１は、関係のあるＲＦ搬送波信号を含む本発明の基本的な組合せを表すブロック図である。
図１Ａ及び１Ｂは、夫々、ＲＦ搬送波信号のビデオ信号の典型的な振幅変調（ＡＭ）及び周波数変調（ＦＭ）を示す図である。
図１Ｃは、ＡＭビデオ信号のＲＦ周波数スペクトルを示す図である。
図１Ｄは、ＲＦ搬送波周波数スペクトルと共にＦＭ記録システムを示す図である。
図１Ｅは、振幅変調ＲＦ域において疑似同期及び／又はＡＧＣ及び／又はカラーストライプコピー防止信号を無効にする一般的な構成のブロック図である。
図２は、本発明による幾つかの実施例のブロック及び回路の図である。
図３Ａ及び３Ｂは、本発明による他の実施例のブロック及び回路の図である。
図４は、本発明による別の実施例のブロック及び回路の図である。
図４Ａは、図４に示された本発明の論理タイミング回路の細部を示すブロック図である。
図４Ｂ〜４Ｄは、図４に示された本発明の変調深さを変更する回路の細部のブロック図である。
図５は、本発明による更に別の実施例のブロック図である。
図５Ａ及び５Ｂは、図５に示された本発明のカラーバーストによって変調されたＲＦ搬送波信号を検出する回路と、カラーバーストによって変調されたＲＦ搬送波を供給する位相ロックループとを更に詳細に示すブロック図であり、図５Ｃは、ＲＦ搬送波信号上の変調クロマ信号のＲＦ周波数スペクトルを示すグラフである。
好ましい実施例の詳細な説明
上記のごとく、ビデオコピー防止は、コピー防止処理されたビデオ信号が最小限の可視アーティファクト若しくは可視アーティファクトを全く伴わずに可視化され、このような信号の記録物の再生によって娯楽的価値の著しく低下した信号が生成されるシステムとして定義されることに注意する必要がある。コピー防止は、ビデオ信号が可視化できないビデオスクランブル処理とは区別する必要がある。ビデオスクランブルとは、ビデオ信号が可視化できないことを意味する。スクランブル処理された信号は記録可能であるが、スクランブル解除されない限り、このような記録物を再生しても可視化できない。
図１には、ビデオ信号のコピーを禁止するためビデオ信号に埋め込まれたコピー防止信号を無効にする本発明の基本的な組合せが示され、本発明は上記の従来技術において典型的に利用されているベースバンドビデオ域ではなく、ＲＦ域において（例えば、ＲＦ対ＲＦダビング用の２重ＶＣＲにおいて）機能する。図１には、復号ビデオ信号によって変調されたＲＦ搬送波の適用を示す回路が含まれ、この回路ではコピー防止信号がコピー作成を阻止するためＲＦ搬送波上に変調される。図１には、また、コピー防止信号を含む信号成分の抽出が示され、抽出された信号成分は、コピー防止信号を無効にするため本発明の各種の手段を記述するため本明細書中で利用される。すべての図面を通じて、同じ構成部品及び信号には、同じ番号及び／又は名前が付けられている。
図１に示されるように、複合ビデオ信号によって変調され、コピー防止信号を格納するＲＦ搬送波信号は、リード線８上で、適当な増幅器９を介して、ルミナンスＲＦ搬送波バンドパスフィルタ（ＢＰＦ）１０と、クロミナンスＲＦ搬送波ＢＰＦ１１とに供給される。後者のバンドパスフィルタ１１は、通常のカラープロセッサ回路１３を介してクロミナンス信号を加算回路１２に供給する。同図において、クロミナンス信号路は、カラー信号がＲＦ搬送波信号と再組立される方法を示し、ここで、コピー防止信号は、複合ビデオ信号で変調されたＲＦ搬送波を出力リード線１４に供給するため、本発明に従って除去され、若しくは、無効にされる。
上記のような変調用コピー防止信号の形式を含むＲＦ搬送波信号は、ルミナンスＢＰＦ１０及びリード線１５を介して復調回路１６に供給される。復調回路１６は、変調されたＲＦ搬送波信号と適合したＦＭ、ＡＭ或いは他のタイプの復調器である。かくして、再生ＶＣＲ又は衛星伝送によって供給されたＲＦ搬送波信号は、周波数変調信号であり、一方、テレビジョンチャネル若しくはケーブル、すなわち、有線からのＲＦ搬送波信号は、振幅変調信号である。回路１１及び１３は、一般的に、上記のＶＣＲのＲＦからＲＦへのダビング処理に使用される。
一例として、図１Ａには、垂直帰線消去期間（ＶＢＩ）を含み、例えば、６１．２５ＭＨｚのＲＦ搬送波信号を示すテレビジョンラインの波形が示され、この６１．２５ＭＨｚは本発明の一部の実施例の説明のため使用されるチャネル３用の放送周波数であり、ＲＦ搬送波信号は、本例の場合、負の変調処理を用いてビデオ信号によって振幅変調される。図１Ａに示すように、ビデオ信号のピークホワイト値は、ＲＦ搬送波信号を最小限に抑え、同期先端値はＲＦ搬送波信号を最大限にさせる。例えば、上記引用された特許に開示されているような所定のコピー防止信号によって変調されたこのＲＦ搬送波信号は、本発明によれば、コピー防止信号の影響を打ち消すためＲＦ域で使用される。
同様に図１Ｂには、ＶＢＩを備えたテレビジョンライン波形の一例として、再生ＶＣＲ、衛星伝送などによって供給されるようなビデオ信号により周波数変調されたＲＦ搬送波信号が示されている。同図に示されるように、同期周期は、３．４ＭＨｚの周波数によって示され、帰線消去レベルは３．７ＭＨｚの周波数によって示され、ピークホワイトレベルは４，４ＭＨｚの周波数によって示される。上記の通り、ＲＦ搬送波信号は、ＲＦ域で変調コピー防止信号を検出し、打ち消すために本発明の組合せにおいて利用される。
図１Ｃは、図１Ａに示されるように６１．２５ＭＨｚのピクチャー、又は、可視ＲＦ搬送波周波数上に振幅変調されたビデオ信号の典型的なＲＦ周波数スペクトルを示す図である。変調クロマ信号は、ピクチャーＲＦ搬送周波数よりも３．５８ＭＨｚ高いので、６４．８３ＭＨｚである。この変調された可聴ＲＦ搬送波は、ピクチャーＲＦ搬送波よりも４．５ＭＨｚだけ高く６５．７５ＭＨｚである。
図１Ｄには、例えば、ＶＨＳ方式又はベータ方式ビデオレコーダのため供給された典型的な周波数変調された記録システム（図１Ｂ）のＲＦ周波数スペクトルが示されている。ルミナンス信号が記載され、ベースバンドビデオ信号の同期先端は３．４ＭＨｚ（ＶＨＳ）に変調される。ベースバンドビデオ信号のピークホワイトは４．５４ＭＨｚ（ＶＨＳ）に変調される。本質的に、記録システムは電圧・周波数変換器であり、再生システムは周波数・電圧変換器である。３．５８ＭＨｚの周辺に中心が置かれたベースバンドビデオ信号のクロマ信号は、例えば、６２９ＫＨｚのより低い周波数に周波数変換され、媒体上に記録されることに注意する必要がある。
図１をもう一度参照するに、復調器１６からの復調されたベースバンドビデオ信号は、同期／バースト・検出／分離回路１８に供給され、この回路は、垂直又はフィールドレートで垂直同期（Ｖ  ＳＹＮＣ）を発生させ、水平ラインレートで水平同期（Ｈ  ＳＹＮＣ）を発生させ、或いは、カラーバースト信号を発生させる。この信号は、タイミング制御信号をリード線２４上でＲＦ制御回路２２に供給する論理タイミング回路２０に与えられる。変調コピー防止信号、すなわち、アンチコピーパルス若しくはカラーストライプ信号を含む元のＲＦ搬送波信号はリード線１４を介してＲＦ制御回路２２にも供給される。ＲＦ制御回路２２は、本発明による種々の技術の中の一つの技術で到来ＲＦ搬送波信号を選択的に変更するため、リード線２２上のタイミング制御信号によって制御され、その結果として、出力リード線２６を介して加算回路１２に供給される出力ＲＦ搬送波信号は、有効なコピー防止信号を含まないようになる。すなわち、アンチコピーパルス又はカラーストライプ信号は、夫々のビデオ信号の次の許容できる記録を行うため、除去され及び／又は無効にされる。上記の通り、リード線２６上のコピー可能なルミナンス信号は、コピー防止を含まない複合ビデオ信号を出力リード線１４に供給するため加算回路１２によってクロマ信号と合成される。本発明に従ってＲＦ搬送波に変更を加える種々の方法及び回路は、以下、図１Ｅ、２乃至５を参照して例示、説明される。
可聴ＲＦ搬送波はコピー防止を無効にする処理によって劣化される場合があるが、図１Ｅには、変調されたＲＦ搬送波信号の可聴ＲＦ搬送波部を保存したままで振幅変調ＲＦ域においてコピー防止信号を打ち破るシステムが示されている。このため、ＡＧＣ及び疑似同期及び／又はカラーストライプバースト防止信号を含むコピー防止処理されたビデオは、例えば、変調されたＲＦ搬送波信号を図１のリード線１５に供給するためＲＦ搬送波上で振幅変調される。この信号は、ライン位置／タイミング回路２８と、ＲＦ搬送波処理回路２９と、可聴ＲＦ搬送波バンドパスフィルタ３０とに供給される。ライン位置／タイミング回路２８は、図１の回路１６、１８、２０に対応し、類似したタイミング制御信号をリード線２４に供給する。ＲＦ搬送波処理回路２９は、図１のＲＦ制御回路２２と等価であり、図２、４、５を参照して以下に詳細に説明するようにＲＦ搬送波上に変調されたＡＧＣ及び／又は疑似同期及び／又はカラーストライプバーストを充分に無効にするため、図１Ｅの回路２８と結合する。変調されたコピー防止信号を無効にすることは、ＲＦ搬送波信号の可聴ＲＦ搬送波部分にある程度の劣化を生じさせる。可聴ＲＦ搬送波を保存するため、バンドパスフィルタ３０は、リード線３１を介して、可聴ＲＦ搬送波信号（例えば、可視搬送波よりも４．５ＭＨｚ高いＦＭオーディオ）だけを加算回路３２に供給する。処理回路２９のリード線３４上の出力は、無効にされた変調用コピー防止信号で変調されるが、劣化している可能性のある可聴ＲＦ搬送波を用いて変調されない。リード線３４上の出力は可聴搬送波ノッチフィルタ３６に供給される。フィルタ３６の出力は、十分に打ち消された変調用コピー防止信号で変調されたリード線３７上のＲＦ変調ビデオ信号であり、このＲＦ変調ビデオ信号は、可聴ＲＦ搬送波によって全く変調されないか、若しくは、殆ど変調されない。加算回路３２は、リード線３１、３７上のＲＦ搬送波信号を合成し、プログラムビデオ及びオーディオＲＦ搬送波がそのまま保存された出力ＲＦ搬送波信号をリード線３８に発生させるが、打ち消された変調コピー防止信号も含まれる。
処理回路２９によって供給されたＲＦ搬送波信号内のオーディオ品質が適切であるとき、回路３０、３２及び３６は自由に選択できることが分かる。かくして、リード線３４上のＲＦ搬送波信号は、リード線３８上のＲＦ搬送波信号に対する代替的な出力である。
図１に示された回路は、コピー防止信号をＲＦ搬送波信号に加えるため、ビデオ信号で変調されたＲＦ搬送波信号をＲＦ域で変更し得る手段を示している。このため、図１のＲＦ制御回路２２は、ＲＦ搬送波信号として、例えば、変調することにより、リード線２６上のＲＦ搬送波信号が復調されたときにコピー防止信号がコピーを防止するため現れるようにＲＦ搬送波包絡線の一部分を置換若しくは変更するＲＦ搬送波信号を挿入する。基本的に、例えば、振幅変調システムのリード線１５上のＲＦ搬送波信号は、コピー防止パルスを包含しないビデオ信号を用いて変調され、対応した（振幅変調）復調器１６及びＲＦ制御回路２２に供給される。回路１８及び２０は、回路２２内でＲＦ搬送波包絡線を変更するためリード線２４にベースバンドコピー防止信号を発生させる。例えば、ＲＦ搬送波信号の一部は、同時に生起するＲＦ搬送波を変調する疑似同期信号を発生させるため振幅が増大され、この搬送波振幅が増大された部分に続くＲＦ搬送波信号部は、同時に生起するＲＦ搬送波を変調するＡＧＣパルスを発生させるため減少させられる。リード線２６上のＲＦ搬送波信号は、ＲＦ搬送波を変調するコピー防止信号を含む。例えば、先に引用した米国特許第４，５７７，２１６号に記載された上記のカラーストライプバースト信号のような別のコピー防止信号は、同様にしてＲＦ域で適用される。
図１のシステムがＦＭシステムである場合、ＲＦ制御回路２２は、リード線１５上でＲＦ搬送波信号の搬送波周波数を変えるため使用され、ＲＦ搬送波の一部は、同時に生起するＲＦ搬送波を周波数変調する疑似同期信号を表すため周波数が低減され、ＲＦ搬送波の次の部分は、同時に生起するＲＦ搬送波を周波数変調するＡＧＣパルス周波数を表現するため周波数が増大される。
図２には、図１に示された本発明の別の実施例が詳細に示されている。この実施例は、有線のテレビジョン伝送チャネル、又は、ケーブルシステムなどから、例えば、一例として、夫々のビデオ信号のコピーを阻止するコピー防止信号を取り込むため振幅変調されているＲＦ搬送波信号を受信する。本例において、ＲＦ変調搬送波信号は、図１Ｃに示されるように６１．２５ＭＨｚの搬送波及び６５．７５ＭＨｚの可聴ＦＭ搬送波信号と、コピー保護信号とを含む。コピー保護信号を含む変調されたＲＦ搬送波信号は、リード線４０を介して増幅器４２に供給され、増幅器の出力はリード線４３を介して、増幅器／振幅変調検出器／ローパスフィルタ回路４４に供給される。回路４４の振幅変調検出部は、ベースバンドビデオ信号の再生を行い、回路４４の出力側のローパスフィルタは、ベースバンド信号から残留可視搬送波周波数を除去する。得られたベースバンドビデオ信号は同期分離回路４６に供給され、同期分離回路４６は、水平同期（Ｈ  ｓｙｎｃ）信号若しくはパルス、並びに、垂直同期（Ｖ  ｓｙｎｃ）信号若しくはパルスを、夫々、出力側のリード線５０及び４８に供給する。リード線５０上の水平同期信号は、疑似同期、アンチコピー信号又はパルスを含む。リード線４８、５０は、論理タイミング回路５２に接続され、論理タイミング回路５２は、コピー防止信号を含むテレビジョンラインの有無を示す信号を発生させる。かくして、回路５２は、例えば、アンチコピー信号が存在するアクティブビデオラインの間、本例の場合には垂直帰線消去期間内のライン１０乃至２０の間に、リード線５４にロー論理レベルを発生させるライン検出回路を効率的に構成する。ハイ論理レベルは、垂直帰線消去期間内で正常な同期及びカラーバースト信号が現れる間、並びに、アクティブテレビジョンフィールドの間にリード線５４に供給される。リード線５４はＲＦスイッチ５６の制御入力に接続される。
背景技術として、ビデオ信号によって定義された通常のビューイングフィールドの一部分は、実際のピクチャーを定めるため使用されない。より詳細に述べると、垂直帰線消去期間を定めるビデオ信号の上記部分に隣接する水平走査ラインは、ピクチャーを定めるために典型的なテレビジョンモニター又はセットで使用されない。したがって、垂直帰線消去期間に隣接したこれらの信号部分は、コピー防止信号を追加するため完全に利用可能である。かくして、本発明に関する限り、このような信号部分は垂直帰線消去期間の一部であると考えられ、本明細書で使用される用語「垂直帰線消去期間」はこの意味を包含する。
増幅器４２によって供給される変調されたＲＦ搬送波信号は、リード線４３を介して、可聴ＲＦ搬送波ノッチフィルタ回路５７に供給される。このため、リード線４３はＲＦ差動増幅器５８の正側入力及びフィルタ回路に供給される。フィルタ回路は、抵抗６０及び６２と、インダクタ６４と、キャパシタ６６とにより形成され、ＲＦ差動増幅器５８の反転入力に接続される。ノッチフィルタ回路５７は、ＲＦ搬送波信号を変調するため使用されるコピー防止信号を無効にする間に、可視ＲＦ搬送波が劣化することを阻止するため使用される。抵抗６０と６２の接合点はＲＦスイッチ５６の一方の端子に接続される。スイッチ５６の第２の端子は接地される。ＲＦ差動増幅器５８の出力は、図２の回路からの出力信号をリード線６８に供給し、この出力信号は、コピー防止信号が抑制された、許容できるビデオ信号のコピーを得るため記録用ＶＣＲに供給され得るＲＦ搬送波信号により構成される。
このため、ＲＦスイッチ５６は、コピー防止信号が存在するとき、アクティブビデオライン１０乃至２０の間に、リード線５４上のロー論理レベルによってオフ状態に維持される。この垂直帰線消去期間中に、ノッチフィルタ回路５７はアクティブ状態であり、可視ＲＦ搬送波の劣化を阻止し、一方、ビデオＲＦ搬送波信号包絡線は、ＲＦ搬送波変調用アンチコピー信号が出現するときにライン間隔の間で著しく抑制される。減衰したＲＦ搬送波は、出力信号としてリード線６８に供給される。コピー防止信号が存在しないときのビデオライン及びアクティブテレビジョンライン中に、ＲＦスイッチ５６は、ノッチフィルタ回路５７を禁止状態にさせるためリード線５４のハイ論理レベルを介して接地される。この間隔中に、リード線４３上の元のＲＦ搬送波信号は、ＲＦ差動増幅器５８の出力としてリード線６８に供給される。かくして、２個の信号を合成することにより、次に、例えば、記録用ＶＣＲによって復調されたときに、アンチコピー信号を含まない変更若しくは再組立されたビデオ変調ＲＦ搬送波信号が得られる。本発明のこの実施例において、ＲＦ包絡線は、コピー防止信号が存在するとき、可視ＲＦ搬送波信号よりも約４．５ＭＨｚ上の周波数である可聴ＲＦ搬送波信号に影響を与えることなく減衰され、これにより図２に示された実施例の付加的な利点が得られる。
図２に示された回路を部分的に利用する他の技術において、ノッチフィルタ回路５７及びＲＦスイッチ５６は省略してもよく、リード線４３上の変調されたＲＦ搬送波信号は、（破線部分を経由して）ＲＦ電圧制御増幅器又は変調器７０の入力に供給される。ライン位置、すなわち、論理タイミング回路５２からのタイミング制御信号はリード線５４（並びに破線部分）を介してＲＦ変調器７０の制御入力に供給される。かくして、垂直帰線消去期間中のアクティブビデオライン、例えば、ライン１０乃至２０の間に、アンチコピー信号が変調したＲＦ搬送波のピーク包絡線は、リード線５４上の信号に応答してＲＦ変調器７０によって抑制される。次に、再組立されたＲＦ搬送波信号が増幅器７４を介して出力リード線７２に供給され、コピー防止信号が無効にされる。本実施例の場合、可聴ＲＦ搬送波信号は、アンチコピー信号のＲＦ包絡線の抑制又は減衰中に幾分減衰させられる。しかし、可聴搬送波信号は、オーディオ新語の一時的な損失を生じさせないように、すなわち、オーディオが消失しないように十分な振幅を保つ必要がある。
図２に示された回路を部分的に利用する更に別の技術において、ノッチフィルタ回路５７、ＲＦスイッチ５６、及び／又は、ＲＦ変調器７０は省略してもよく、リード線４３上の変調されたＲＦ搬送波信号は（破線部分を介して）ＲＦスイッチ７６の入力端子に供給される。ノイズを含むカラー信号によって変調されたＲＦ搬送波、カラーバー信号によって変調されたＲＦ搬送波、変調されていないＲＦ搬送波、若しくは、変調されたＲＦ搬送波のような第２のＲＦソース、又は、十分なアンチコピー信号を含まない他の信号は、リード線７８を介してＲＦスイッチ７６の第２の端子に供給される。第２の置換信号は、実際上、コピー防止信号の周期中に消失を生じさせ、効率的にコピー防止信号を除去するため充分に低い値のＲＦ信号を含む信号でなくても構わない。本変形例の場合に、リード線５４上のライン位置信号は、スイッチタイミング制御信号としてＲＦスイッチ７６に供給され、これにより、リード線４３上の復調されたＲＦ搬送波信号は、コピー防止信号の周期中に、コピー防止信号を欠くリード線７８上の選択されたＲＦ信号の一つと置換される。結果として得られたＲＦスイッチ７６の出力リード線８０上の再組立された出力信号は、アンチコピー信号を含まないので、ビデオ信号の許容できる記録を行うことができる。或いは、可聴バンドパスフィルタ７９及び加算接合８１は、（破線部分で示されるように）可聴ＲＦ搬送波をリード線４０からリード線７８に供給するため利用されるので、ＲＦスイッチ７６がリード線４３上のＲＦ搬送波信号からリード線７８上の置換搬送波信号に切り替わるとき、出力リード線８０上の可視ＲＦ搬送波に中断は生じない。
既に説明したように、図２に示された技術及び回路は、本例では、例えば、有線ビデオ伝送又はケーブル伝送システムにおいて一般的に行われるような振幅変調記録処理を用いてビデオ信号に予め組み込まれたコピー防止信号を無効にするＲＦ域で動作するタイミング及び変更手段を提供する。
図３Ａ、３Ｂを参照するに、同様に、ＲＦ域で動作しビデオ信号のコピー防止信号を無効にする技術及び回路が記載されているが、本例では、ビデオ信号は、例えば、ＲＦからＲＦにダビングを行う２重デッキビデオテープレコーダシステム（すなわち、ＶＣＲ）又は衛星システムなどの周波数変調記録システムを介して得られる。このため、図３Ａでは、周波数変調（ＦＭ）ルミナンスＲＦ搬送波信号は、入力リード線９２を介して前置増幅器／エコライジング増幅器回路９０に供給され、リミッタ増幅器／ＦＭ検波器回路９４に供給される。得られたベースバンドビデオ信号は、ローパスフィルタ／デエンファシス回路９６に供給され、ここで、信号はフィルタ処理とデエンファシス処理を受け、ベースバンドビデオルミナンス復調信号が同期分離器９８の入力に与えられ、ルミナンス復調信号がリード線１００に与えられる。同期分離器回路は、複合水平同期をアンチコピー疑似同期信号と共にリード線１０２を介して供給し、垂直同期信号をリード線１０４を介して供給する。
複合水平及び疑似同期信号は、水平同期の立ち下がりエッジで開始しアクティブ水平テレビジョンラインの終わりまで延びる５０マイクロ秒のトリガ不能型ワンショット・マルチバイブレータ１０６に供給され、マルチバイブレータ１０６はパルスをＡＮＤゲート１０８に供給する。かくして、トリガ不能型ワンショット１０６は、アクティブテレビジョンライン画素の存在を示す信号を供給する。ワンショット１０６は、アンチコピー疑似同期パルスでのトリガを無視する。垂直同期信号は約６テレビジョンライン間隔のワンショット１１０に供給され、次に、約１０テレビジョンライン間隔のワンショット１１２に供給され、ワンショット１１２は、例えば、テレビジョンライン１０〜２０の間、すなわち、このライン中のアンチコピーパルスによって変調されたＲＦ搬送波が存在する期間中、論理ハイである垂直レートパルスを発生させる。ワンショット１１２の出力はＡＮＤゲート１０８に供給され、ＡＮＤゲート１０８は、正常な水平同期パルスを除いて疑似同期及びＡＧＣパルスが存在する期間中に論理ハイであるリード線１１４を介してライン位置検出信号を供給する。
図３Ｂを参照するに、リード線１００上のルミナンス復調信号（図３Ａ）は、ビデオクランプ回路１１６に供給され、ビデオクランプ回路はルミナンス信号を同期先端電圧にクランプし、信号をスイッチ１１８の一方の端子に供給する。スイッチ１１８の他方の端子は接地される。図３Ａのリード線１１４からのライン位置検出信号は、スイッチ１１８のスイッチングを制御するため使用される。スイッチ１１８の出力は、比較器増幅器１２０の反転入力と、比較器増幅器１２２の非反転入力とに接続される。比較器増幅器１２０の非反転入力及び比較器増幅器１２２の反転入力は、夫々、閾値電圧Ｖｂ１及びＶｂ２に接続される。リード線１１４上のライン位置検出信号に応じて、クランプされたルミナンス信号は、疑似同期及びＡＧＣパルスの存在する間に、比較器増幅器１２０、１２２に供給される。増幅器１２０、１２２は、次に、ＲＦ搬送波変調用疑似同期（ＰＳ）及びＡＧＣパルスと一致した論理ハイレベルＰＳ及びＡＧＣを発生させ、対応した論理信号を夫々のリード線１２４及び１２６と、夫々のＡＮＤゲート１２８及び１３０の一方の入力に出力する。電圧Ｖｂ１及びＶｂ２は、同期先端電圧レベル及びＡＧＣパルス電圧レベルと同程度に選択される。ＰＳ及びＡＧＣ論理信号はパルス狭小化回路１３２及び１３４に夫々供給され、各パルス狭小化回路は、夫々のＡＮＤゲート１２８及び１３０の第２の入力に接続された抵抗と、夫々の第２の抵抗からグランドに接続されるキャパシタとにより形成される。ＡＮＤゲート１２８、１３０は、ＰＳ及びＡＧＣ信号から夫々にパルス幅が狭くされた論理信号ＮＰＳ及びＮＡＧＣをリード線１３６及び１３８に供給する。
ＡＧＣアンチコピーパルスは、上述の米国特許第４，８１９，０９８号に記載されているように垂直帰線消去期間の「バックポーチ」に沿って選択されたタイミング位置で分類されてもよく、かつ、本発明は、さらにこのような分類されたビデオ信号に対するコピー防止変更を打ち消すことを考慮している点に注意すべきである。
リード線１１４上のライン位置検出信号と、リード線１２４、１２６、１３６及び１３８上の信号ＰＳ、ＡＧＣ、ＮＰＳ及びＮＡＧＣは、入力として論理合成回路１４０に接続され、論理合成回路は、次に、リード線１４３を介してタイミング制御信号をＲＦスイッチ１４２に供給する。図３Ａに示されたルミナンスＲＦ搬送波信号は、リード線９２及びリード線１４４を介してスイッチ１４２の端子に接続される。発振器又はＲＦ周波数ソースを有する信号ソース発生器１４６は、ジャンパー回路１４８を介してＲＦスイッチ１４２の第２の端子に接続される。ＲＦスイッチ１４２の出力端子は約７ＭＨｚのローパスフィルタ１５０に接続され、ローパスフィルタ１５０は図３Ａ、３Ｂからの出力をリード線１５２に供給する。
ＲＦ搬送波変調用アンチコピー信号、例えば、疑似同期及び／又はＡＧＣパルスの周期中に、ＲＦスイッチ１４２に至るリード線２４４上のルミナンスＲＦ搬送波信号は、論理合成回路１４０からのタイミング制御信号に応答して、信号ソース発生器１４６によって供給された帰線消去レベルと、減衰した疑似同期振幅又は狭小化されたパルス幅疑似同期信号（記録用ＶＣＲ又は衛星チューナーで復調されるとき）とを含む信号により置換される。置換信号は、無信号、或いは、小さい値のＲＦ信号でもよく、これにより、本質的に、ＲＦ搬送波信号を変調するため使用されたコピー防止信号の出現時に搬送波レベルが結果的に減少したことによって消失が生じ、コピー防止信号が除去される。タイミング制御信号は、次に、リード線１１４上のライン位置検出信号と、リード線１２４上のＰＳ信号又はリード線１３６上のＮＰＳ信号を反映する。ＰＳ信号はパルスレベルシフト又は減衰の影響を生じ、一方、ＮＰＳ信号はパルス狭小化効果を生ずる。同様に、リード線１２６上の制御信号ＡＧＣ又はリード線１３８上のＮＡＧＣ信号が論理合成回路１４０を介してＲＦスイッチ１４２を制御するためリード線１１４上のライン位置検出信号と共に使用される場合、リード線１４４上のルミナンスＲＦ搬送波信号は、記録用ＶＣＲ又は衛星チューナーで復調されるときに振幅が減衰されたＡＧＣパルス、又は、パルス幅が狭められたＡＧＣパルスを生成する周波数によって置き換えられる。かくして、リード線１１４上のライン位置検出信号は、ＲＦ信号をルミナンスＲＦ搬送波信号に切り換えるため使用され、これにより、ＲＦ搬送波変調アンチコピー信号を含むテレビジョンラインの一部分は、次のダビング過程で周波数変調が検出されたときにビデオ信号の記録可能なコピーを生じるであろうアクティブテレビジョンライン信号によって置換される。ＲＦスイッチ１４２からの再組立された信号は、ＲＦ搬送波の波形の不連続性を取り除くローパスフィルタ１５０に供給される。得られた再組立されたルミナンスＲＦ搬送波信号は、コピー防止信号が無効にされ、リード線１５２を介して、例えば、記録用ＶＣＲのＲＦルミナンスＦＭ入力に供給され、これにより、許容できる記録が行われる。
図３Ａ、３Ｂの回路を利用する別の技術は、後で変調されたときにコピー防止信号に対応したレベルシフトを生じさせるため、リード線１４４上の信号の周波数のシフト又は変更を行う。このため、リード線１４４上のルミナンスＲＦ搬送波信号は、単一側波帯（ＳＳＢ）変調器１５４、及び、ジャンパー回路１４８の第２の入力に供給される。約１００ｋＨｚ以上の周波数の発振器１５６は、ＳＳＢ変調器に接続される。変調器１５４は、上側の側波帯出力を備えた側波帯ＡＭ変調器である。したがって、変調器１５４の出力がリード線１１４上のライン位置検出信号及びリード線１４３上のタイミング制御信号に応じてルミナンスＲＦ搬送波信号に切り換えられるとき、発振器１５６の正の周波数はルミナンスＲＦ搬送波信号に効率的に加算される。その結果として、出力リード線１５２を介して記録用ＶＣＲに供給された変更ルミナンスＲＦ搬送波信号中の疑似同期パルスのレベルは、変調されたときレベルシフトされ、許容できる記録物を作成できるようになる。
図４には、ＲＦ域における技術を利用してコピー防止変調ＲＦ搬送波信号からコピー防止信号を除去する本発明の他の実施例が記載されている。このため、テレビジョンチャネル、ケーブルシステムなどを介して有線から獲得されたような変調ＲＦ搬送波信号は、ＲＦ搬送波がコピー防止信号を含むようにＡＭ変調されている場合に、リード線１７２を介して直流復元回路１７０に供給される。回路１７０は、共通接合、すなわち、比較器増幅器の非反転入力で接続されたキャパシタ１７４と、抵抗１７６と、ダイオード１７８とを含む。抵抗１７６及びダイオード１７８の開放端は、夫々、電源電圧及びアースに接続される。直流復元回路１７０は、かくして、ＲＦ包絡線をそのピーク値、すなわち、同期先端ＲＦ包絡線値まで直流的に復元させる。復元されたＲＦ搬送波信号は比較器増幅器１８０に供給され、比較器増幅器１８０は、リード線１８２を介して比較器増幅器の反転入力に供給された閾値電圧Ｖｔｈによって確定されるようなピークＲＦの最大値を僅かに下回るところでピークＲＦをスライスする。比較器増幅器１８０は、ＲＦ搬送波信号を変調する水平同期及び垂直同期と同時に発生するＲＦのバーストをローパスフィルタ１８４に供給する。フィルタ１８４は、水平同期、垂直同期及び疑似同期信号を含むベースバンド複合同期信号を、リード線１８７を介して、論理タイミング回路１８６並びに第２のローパスフィルタ１８８に供給するためＲＦ成分を除波する。フィルタ１８８は、垂直同期信号を取り出し、リード線１８９を介して論理タイミング回路１８６に供給する。論理タイミング回路１８６は、ビデオライン及び関連したＲＦ搬送波変調アンチコピー信号、すなわち、疑似同期及びＡＧＣパルスの位置を識別するタイミング位置又はタイミング制御信号をリード線１９０に発生させる。
リード線１７２上の変調ＲＦ搬送波信号は、変調回路１９２の深さと、変調回路１９２に接続されたＲＦ搬送波再生回路１９４とに供給される。ＲＦ搬送波再生回路１９４は、位相ロックループ（ＰＬＬ）を含み、一定値とリード線１７２上の変調ＲＦ搬送波信号の周波数と類似した周波数とを有する連続波ＲＦ搬送波をリード線１９８に発生させる。変調回路１９２の深さは、リード線１９０上のタイミング位置検出信号に応じてＲＦ搬送波包絡線の変調の深さを変え、変調されたＲＦ搬送波信号を出力リード線１９６を介して発生させる手段を提供する。かくして、ＲＦ搬送波変調用疑似同期信号、及び／又は、ＡＧＣパルスのタイミング位置検出に応じて、ＲＦ搬送波変調の深さは、疑似同期又はＡＧＣパルスのタイミング間隔中に、再生回路１９４の連続波搬送波をリード線１７２上の変調されたＲＦ搬送波に対し加算又は減算するため、回路１９２によって変更することができる。ＲＦ搬送波変調の深さのこのような変更は、利得を変更すること、或いは、レベルシフト、ブランキング、狭小化、及び／又は、ＲＦ搬送波を埋め込まれたアンチコピー信号に対し加算又は減算することにより実現される。このような形で、コピー作成を阻止するパルスは、例えば、記録用ＶＣＲのような出力リード線１９６に接続された種々の回路に対して何も変化を与えないように変更されるので、本発明に従ってビデオ信号の許容できる記録を行うことができる。
図４に示された他の実施例において、複合水平及び疑似同期パルスを獲得するローパスフィルタは、比較器増幅器１８０の出力でパルスをトリガーするワンショット・マルチバイブレータタイミング回路を代用することにより置換できる。また、コピー防止変調ＲＦ搬送波の信号レベルが大きい場合、比較器増幅器１８０は、増幅器１８０の結果を効率的に得るため、部分ＲＦ包絡線又は電力検出を行うダイオード又はトランジスタで置換してもよい。
図４Ａは、図４の論理タイミング回路１８６を更に詳細に説明する図である。ローパスフィルタ１８８（図４）からの垂直同期信号は、リード線１８９を介してワンショット・マルチバイブレータ２００に供給され、第２のワンショット・マルチバイブレータ２０４を介してＡＮＤゲート２０２に供給される。同様に、ローパスフィルタ１８４（図４）からの複合同期信号は、リード線１８７を介してワンショット・マルチバイブレータ２０６及びＡＮＤゲート２０２に供給される。ワンショット２００、２０４及び２０６は、夫々、約６テレビジョンライン、約１０テレビジョンライン及び５０マイクロ秒の時間間隔を有する。ワンショット２０６は、各水平同期パルスの立ち下がりエッジでトリガーされるが、疑似同期パルスのエッジにはトリガーされない。ワンショット２０４からの信号は、アクティブテレビジョンラインの１０本目〜２０本目が変調するＲＦ搬送波を表す垂直レートパルスを含み、ワンショット２０６からの信号は、アクティブテレビジョンライン画素が変調するＲＦ搬送波を表す。ＡＮＤゲート２０２からの出力リード線２０８は、ＡＧＣ及びＰＳパルスと同時に生起する論理ハイパルスにより形成されたライン位置検出信号を供給する。論理ハイパルスは、通常の水平同期パルスが変調するＲＦ搬送波と同時に生起する必要はない。リード線２０８上のライン位置検出信号は、アンチコピーパルスを含むライン１０〜ライン２０に対し垂直帰線消去期間内又は垂直帰線消去期間に隣接したアクティブテレビジョンライン画素を表す。また、成分２００〜２０６は、図３Ａの成分１０６〜１１２と類似し、リード線２０８上のライン位置検出信号はライン１１４上のライン位置検出信号と類似し、同じ目的のため使用されることが分かる。
ＰＳパルスを伴う複合同期パルスはＡＮＤゲート２１０に供給され、リード線２０８上のライン位置検出信号はＡＮＤゲート２１０及び論理合成回路２１２に供給される。ＡＮＤゲート２１０は、リード線２１４上のＰＳパルスと同時に生起する論理ハイパルスを生成し、３μｓの間隔のワンショット・マルチバイブレータ２１６の入力に供給し、このワンショット・マルチバイブレータ２１６はＡＧＣパルスと同時生起するパルスをリード線２１８に供給する。リード線２１４及び２１８上のＰＳ及びＡＧＣ論理レベルパルスはタイミング信号として、リード線２０８上のライン位置検出信号と共に論理合成回路２１２に供給される。論理合成回路２１２は、図４に記載されたタイミング制御信号をリード線１９０に供給し、この信号は、関連したテレビジョンラインでＡＧＣ及びＰＳパルスによって変調されたＲＦ搬送波と同時に生起する。
図４Ｂには、図４の変調回路１９２の深さの一例が示されている。本例には、コピー防止を含む到来する変調されたＲＦ搬送波信号のＲＦ搬送波変調の深さを変更することができるスイッチング回路２３０が示され、このコピー防止を含むＲＦ搬送波信号は図４のリード線１７２を介して供給される。このため、図４Ａのリード線２１８上のＡＧＣＰ信号は、好ましくはリード線１７２上の信号からの可聴ＲＦ搬送波を含む図４のリード線１９８上の再生された連続波ＲＦ（可視）搬送波信号が、ＡＧＣＰ信号中に変調されたＡＧＣパルスの存在する期間中に、変調ＲＦ搬送波信号に組み込まれるようにスイッチング回路２３０を制御するよう供給される。かくして、スイッチング回路２３０は、変調アンチコピーＡＧＣパルスによって取り除かれたＲＦ搬送波を埋める。図４に示された出力リード線１９６上で得られるＲＦ搬送波信号は、ＡＧＣパルスによって変調されたＲＦ搬送波の周期中に、変調の深さが減少されている。夫々のビデオ信号の後続の記録過程において、変更若しくは抑制されたＡＧＣパルスは許容できるコピーの作成を許可する。或いは、リード線１９８上の信号は可聴ＲＦ搬送波だけでもよく、その後、リード線１９６上の出力信号は、ＲＦ搬送波変調用コピー防止信号がリード線１７２上のＲＦ搬送波信号中に存在する期間中に、消去若しくは減衰された可視ＲＦ搬送波を含む。
図４Ｃには、図４の変調回路の深さに関する他の例が示されている。この例は、図４Ｂの例と類似しているが、コピー防止を行うＲＦ搬送波変調アンチコピー疑似同期信号を無効にするため、ＡＧＣ信号の代わりにＰＳ信号を使用する。このため、図４のリード線１７２上の変調されたＲＦ搬送波信号は、図４Ｃの加算回路２３４に供給される。図４のリード線１９８上の再生された連続波ＲＦ搬送波信号は、インバータ２３６に供給され、次に、スイッチング回路２３８の一方の入力端子に供給される。スイッチング回路２３８の他方の入力端子は接地され、スイッチング制御は図４Ａのリード線２１４上のＰＳＰ信号によって与えられる。スイッチング回路２３８の出力は加算回路２３４の第２の入力に接続され、その入力に、疑似同期信号により変調されたＲＦ搬送波の時間間隔中に再生若しくは獲得された反転位相可視ＲＦ搬送波信号を供給する。この反転搬送波信号は、加算回路２３４によってリード線１７２上の変調ＲＦ搬送波信号と合成される。出力リード線１９６（図４）で得られた再組立されたＲＦ搬送波信号は、疑似同期パルスに対しピーク搬送波レベルが低下された信号であり、例えば、ＶＣＲのような装置内の関連した回路によって後で検出されたときに、疑似同期パルスの振幅が減少されることにより、許容できる記録を行うことができる。図４Ｃの回路は、リード線２１４上のＰＳＰに応答して、スイッチング回路２３８のスイッチング過程中に可聴ＲＦ搬送波信号を保存する。
図４Ｃで説明したＰＳパルス抑制技術の他の例として、リード線２１４上のＡＮＤゲート２１０の出力の疑似同期パルスのパルス幅が代わりに狭小化された場合に、ＰＳＰ信号が図４Ｃのスイッチング回路２３８を制御するため供給されたときに、リード線１９６上の変調されたＲＦ搬送波出力のアンチコピー疑似同期パルスは幅が狭くなる。その結果として、狭小化された疑似同期パルスは、ＶＣＲによって検出できなくなるので、許容できる記録が行われる。
図４Ｄには、図４の変調回路１９２の深さの更に別の例が示されている。この回路は、ＰＳパルスのピーク変調を（約ゼロ搬送波振幅まで）減少させ、及び／又は、例えば、ＲＦ変調、すなわち、利得制御技術を用いて、ＡＧＣパルスと同時に生起するＲＦ搬送波包絡線の変調の深さを減少させる。また、図４Ｄの回路は、例えば、記録用ＶＣＲによって復調若しくは検出されたときに、アクティブテレビジョンフィールド信号中に、プログラムビデオに対し減衰及びレベルシフトされた疑似同期パルスと減衰されたＡＧＣパルスとの組合せを含むビデオ信号を発生するように、ＡＧＣ及び疑似同期で変調されたＲＦ包絡線の一方若しくは両方の全体的なＲＦ搬送波変調を低減するため使用され、これにより許容できる記録が許可される。或いは、変調回路１９２の深さは、コピー防止信号変調注意、記録可能なコピーが得られるようにＲＦ搬送波信号を除去するため使用される。
このため、図４Ａを参照するに、リード線２０８上のライン位置検出と呼ばれる反転されたタイミング信号及びリード線２１４上のＰＳＰと、リード線２１８上のタイミング信号ＡＧＣＰは、図４Ｄの加算増幅器２４０の入力に供給される。加算増幅器２４０の出力は、ＲＦ搬送波変調アンチコピーパルスを含むリード線１７２（図４）上の変調ＲＦ搬送波信号と共に振幅変調ＲＦ変調器回路２４２に供給される。加算増幅器２４０は、リード線２０８、２１４及び２１８上の何れかの入力信号に応じてＲＦ変調器２４２の利得を制御する。より詳細には、ライン位置検出信号は、次に、例えば、記録用ＶＣＲにより変調されるときに、疑似同期パルスの減衰及び／又はレベルシフトを生じさせる。ＰＳＰ信号は、リード線１９６上の出力のピークＲＦ搬送波を減少させ、これにより、記録用ＶＣＲ回路似よる次の疑似同期変調中に、コピー作成が許可される。或いは、ＡＧＣパルスの印加は、ＡＧＣパルス変調中に、ＲＦ搬送波レベルを増加した搬送波レベルに移すので、記録用ＶＣＲのチューナー回路によって検出されるとき、ＡＧＣパルス振幅は減少される。かくして、図４Ｄの回路を使用することにより、コピー防止信号が本発明のＲＦ域技術に従って無効にされ、記録用ＶＣＲは許容できる記録物を作成できるようになる。
他のＲＦ域技術において、リード線２１４、２１８に供給されたＰＳＰ及び／又はＡＧＣＰパルスの狭小化によって、疑似同期及び／又はＡＧＣパルスにより変調された対応したＲＦ搬送波の狭小化が得られ、記録用ＶＣＲによって変調されたときに、ビデオ信号の同様に許容できる記録物が得られる。ＰＳＰ及び／又はＡＧＣＰパルスの狭小化は、例えば、図３Ｂに記載されているように実行される。
図５は、本発明の更なる実施例を示す図であり、この実施例は、上記のカラーストライプ効果によって得られるコピー防止を無効にするＲＦ域で動作する手段を提供し、ここで、ビデオ信号と一体化したカラーバーストは、許容できるコピー作成を阻止するためある種の方法で位相変調される。図５のブロック図を参照するに、カラーストライプコピー防止信号を含む変調されたＲＦ搬送波信号は、入力リード線２５０を介して、カラーバーストによって変調されたＲＦ搬送波を検出する検出器回路２５２と、ＲＦ搬送波再生回路２５４と、変調カラーバーストを含むＲＦ搬送波を供給する位相ロックループ（ＰＬＬ）２５６と、ＲＦスイッチング回路２５８の一夫の入力端子とに供給される。復調されたＲＦ搬送波信号は、テレビジョンチャネル、ケーブルシステムなどを介して有線から供給され、本例では、チャネル３から取り出される。ＲＦバースト検出器（例えば、６４．８３ＭＨｚ）は、リード線２６０を介して論理タイミング回路２６２に接続され、論理タイミング回路２６２はリード線２６４を介して制御信号をＲＦスイッチング回路２５８に供給する。リード線２６０は、制御信号として、バーストＰＬＬ２５６により変調されるＲＦに接続される。ＲＦ搬送波再生ＰＬＬ２５４の出力は、リード線２６８を介して加算回路２６６の一方の入力に接続される。ＲＦ変調バーストＰＬＬ２５６の出力はリード線２７０を介して加算回路２６６の第２の入力に接続される。加算回路２６６の出力は、リード線２７２を介してＲＦスイッチング回路２５８の第２の入力に接続され、ＲＦスイッチング回路２５８の出力は出力リード線２７４にＲＦ搬送波信号を供給し、カラーストライプコピー防止信号は無効にされているので、続いて許容できるコピーを作成することができる。したがって、図５に示された回路は、ＲＦ域で動作し、ＲＦ搬送波信号上に変調された再生されたカラーバーストを生成し、このカラーバーストは、復調されるときに、許容できるコピーの記録を許可するよう充分に変更された無効なカラーストライプバースト信号を含む。
図５のバースト検出器２５２は、リード線２５０から与えられるＲＦ変調搬送からカラーバースト（ＣＢ）制御信号を取り出す回路を提供する。このため、図５Ａには一例として、このような回路が記載されている。例えば、チャネル３の放送局からの変調されたＲＦ搬送波信号は、リード線２５０上でバンドパスフィルタ（ＢＰＦ）２８０に供給される。本例において、チャネル３のＲＦ搬送波は、（ＮＴＳＣ標準の場合に）３．５８ＭＨｚのカラーバースト周波数で変調された６１．２５ＭＨｚの周波数を有し、この結果として、リード線２５０上の変調されたＲＦ搬送波信号は６４．８３ＭＨｚの周波数を有する。かくして、バンドパスフィルタ２８０は、６１．２５ＭＨｚのＲＦ搬送波周波数を除波し、６４．８３ＭＨｚの周波数を有するカラーバーストによって変調されたＲＦ搬送波と同時に生起する信号がリード線２８１上で取り出される。この信号は、例えば、５０ミリ秒間隔のワンショット・マルチバイブレータ２８２に供給される。ワンショット２８２は、５０マイクロ秒のパルス間隔がパルスをアクティブテレビジョンラインの全時間間隔に拡張するので、フィルタ処理された６４．８３ＭＨｚの信号の前縁でオフにトリガーし、６４．８３ＭＨｚのカラー信号には無反応である。ワンショット２８２から出力された信号は、カラーバーストによるＲＦ変調からトリガーされた５０マイクロ秒のパルスだけを含む。この５０マイクロ秒のパルス信号は、２マイクロ秒のワンショット・マルチバイブレータ２８４に供給され、その間隔中に、カラーバーストと同時に、しかし、６４．８３ＭＨｚで生起する信号を供給するため５０マイクロ秒パルスの前縁でトリガーされ、この信号はカラーバーストによって変調されたＲＦ搬送波のタイミング位置を表わす。かくして、ワンショット２８４の出力は、リード線２６０（図５）上の変調バースト位置信号（ＢＬ）であり、他の変調クロマ信号による影響を受けることはなく、カラーバーストの出現により変調されたＲＦ搬送波と同時に生起し、以下に説明するように、バーストＰＬＬ２５６によって変調されたＲＦの動作を制御するタイミング制御信号として使用される。類似したバースト位置信号（ＢＬ）は、図４のリード線１８７上の複合同期信号、或いは、図１の回路１６から得られる水平同期信号から取り出される。
バースト位置信号はリード線２６０を介して論理タイミング回路２６２に供給され、この論理タイミング回路２６２は、変調されたＲＦ搬送波信号に含まれるＲＦ搬送波変調用アンチコピーカラーストライプ信号と同時に、スイッチング手段２５８を切り換えるバースト位置信号に関係したタイミング制御信号をリード線２６４に供給する。回路２６２は、単にリード線でもよく、或いは、カラーストライプバーストによって変調されたＲＦ搬送波タイミング制御信号をドライブする論理回路でもよい。
図５において、ＲＦ搬送波再生ＰＬＬ２５４は、夫々の有線テレビジョンチャネルのＲＦ搬送波周波数と整合する６１．２５ＭＨｚの周波数を有する位相ロックループを含み、本例の場合に、チャネルは、例えば、チャネル３である。他のチャネル及び周波数が使用される場合、種々のＰＬＬ回路の周波数はそれに応じて選択される。ＰＬＬ２５４によってリード線２６８に供給される信号は、６１．２５ＭＨｚの連続波（ＣＷ）ＲＦ搬送波であり、バーストＰＬＬ２．６６により変調されたＲＦからの出力信号と合成するため加算回路２６６に供給される。
ＲＦ変調バーストＰＬＬ２５６は、図５Ｂにより詳細に示され、本例では、リード線２８１上のバンドパスフィルタ処理された信号ゲート回路２８６が設けられ、図５、５Ａに示されるようにリード線２６０上の変調バースト位置信号（ＢＬ）によってゲート制御される。ゲート回路２８６は、生成されたゲート制御されたバースト変調信号を６４．８３ＭＨｚの周波数のＰＬＬ２８８に供給し、このＰＬＬ２８８は図５のＲＦ変調バーストＰＬＬ２５６の位相ロックループ部に対応する。カラーバースト変調された信号と、その信号可視ＲＦ搬送波周波数に対する関係とが、図５Ｃの周波数スペクトルに示されている。ＰＬＬ２８８は、カラーバースト変調されたＲＦ搬送波連続波信号をリード線２７０に供給する。ＰＬＬ２８８の慣性に起因して、ＲＦ搬送波上に変調されたカラーストライプ位相誤差はＰＬＬの平均化処理によって除去される。
上記のごとく、リード線２６８上の連続波ＲＦ搬送波は、ＲＦ変調されたカラー副搬送波連続波周波数を図５のリード線２７２に供給するため、加算回路２６６によってリード線２７０上の連続波カラーバースト変調されたＲＦ搬送波と合成され、この周波数は次にＲＦスイッチング回路２５８に供給される。リード線２６４上のタイミング制御信号に応答して、リード線２７２上のＲＦ変調されたカラー副搬送波信号は、カラーストライプ変調が存在する間隔中に、カラーストライプコピー防止を含む元の変調ＲＦ搬送波信号に挿入される。かくして、出力リード線２７４は、変調カラーストライプコピー信号が無効にされたＲＦ搬送波信号を供給するので、許容できるコピーが続いて、例えば、記録用ＶＣＲによって作成され得る。
図１乃至５についての多様な実施例の説明は、本発明の技術がＲＦ搬送波信号上に変調されたコピー防止波形のすべてのサイクルを置換若しくは変更するものとしているが、本発明は、ＲＦ搬送波変調用疑似同期及び／又はＡＧＣパルス、カラーバースト、或いは、アンチコピー信号から選択された個数だけの部分が、ＲＦ域内で意図通りにコピー防止を無効にするため置換若しくは変更されることも含むことに注意する必要がある。このため、例えば、疑似同期及び／又はＡＧＣアンチコピーパルスが置換若しくは変更される技術において、ＲＦ搬送波信号を変調する疑似同期及び／又はＡＧＣパルスの一部だけを変更してもよい。或いは、変調用アンチコピーパルスは、次にＶＣＲ回路によって検出できないように選択的に狭小化される。さらに、アンチコピー信号、すなわち、コピー防止を無効にするのと同じ効果を得るため、アンチコピー信号の中の選択された部分たけに置換、変更、狭小化或いはそれ以外の変更を加えてもよい。同様に、ＲＦ搬送波変調用カラーストライプ効果がコピー防止を与える技術において、後続の復調された波形の選択されたサイクル数だけ、或いは、カラーストライプカラー防止を含む数本のラインだけが、変調されるときに、本発明に従って上記過程を同様に無効にさせるため、ＲＦ域で置換又は変更される。コピー防止信号の変調中にデューティサイクルを変更すること（狭小化）、及び／又は、ＲＦ搬送波の周波数を変更することによって、記録可能なコピーが得られる。これは、Quan他の米国特許第５，１９４，９６５号と類似する。また、図３Ｂの回路１３２及び１３４のようなパルス狭小化回路が示される。又、図３Ｂにおける回路１５４のような周波数変更回路が示される。同様に、コピー防止信号からの変調中のＲＦ搬送波振幅レベルは、記録可能なコピーを許可するように（例えば、ＲＦを消去するために）変更される。
したがって、上記の通り、本発明は、特定の実施例及びその代替物に関して説明されているが、種々の付加的ば特徴の性質及び利点は、上記の説明及び図面から明らかであり、本発明の範囲は特許請求の範囲の記載とそれらの等価物とによって決められる。
【図１】
0004221516.tif 000002
【図１Ａ】
0004221516.tif 000003
【図１Ｂ】
0004221516.tif 000004
【図１Ｃ】
0004221516.tif 000005
【図１Ｄ】
0004221516.tif 000006
【図１Ｅ】
0004221516.tif 000007
【図２】
0004221516.tif 000008
【図３Ａ】
0004221516.tif 000009
【図３Ｂ】
0004221516.tif 000010
【図４】
0004221516.tif 000011
【図４Ａ】
0004221516.tif 000012
【図４Ｂ】
0004221516.tif 000013
【図４Ｃ】
0004221516.tif 000014
【図４Ｄ】
0004221516.tif 000015
【図５】
0004221516.tif 000016
【図５Ａ】
0004221516.tif 000017
【図５Ｂ】
0004221516.tif 000018
【図５Ｃ】
0004221516.tif 000019